【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
被加工材料(W)の移送経路を挟んで上下に対向すると共に、該移送経路に対し所定の角度で相互に交差するよう配設され、少なくとも一方の周面が凹状となる鼓状に形成された一対の矯正ロール(12,14)と、これら矯正ロール(12,14)の対向方向と交差する関係で被加工材料(W)の移送経路に沿って対向配置され、被加工材料(W)を案内する一対のガイドバーフェーシング(30,30)とからなり、両矯正ロール(12,14)の間に、移送経路に直交する面における各矯正ロール(12,14)の軸線を結んだ線と直交する方向に開放する隙間(S)を有する矯正機において、
前記一対のガイドバーフェーシング(30,30)は略矩形平板状に夫々形成されると共に、両矯正ロール(12,14)における被加工材料(W)の入口側領域および出口側領域に夫々配設され、
前記夫々のガイドバーフェーシング(30)は、両矯正ロール(12,14)と干渉しないよう前記隙間(S)の開放方向に沿って前記被加工材料(W)の水平な移送面(PL)に対し傾斜配置され、
前記夫々のガイドバーフェーシング(30)は、ガイドバー(34)を介して進退移動機構(40)に連結されて、ガイドバーフェーシング(30)における被加工材料(W)の案内面(32)が、前記隙間(S)を介して前記移送経路に平行に臨んだ状態で、進退移動機構(40)の駆動手段(50)を駆動することで該ガイドバーフェーシング(30)が移送経路に対し隙間(S)の開放方向に沿って直線的に進退移動するよう構成されると共に、
前記ガイドバーフェーシング(30)における移送経路に臨む案内面(32)の位置を検出する位置検出手段(58)の検出に基づき、前記進退移動機構(40)の駆動手段(50)を駆動してガイドバーフェーシング(30)を移動することで、案内面(32)を被加工材料(W)に対して適正な位置に臨ませ得るようになっている
ことを特徴とする矯正機。
【請求項２】
被加工材料(W)の移送経路を挟んで上下に対向すると共に、該移送経路に対し所定の角度で相互に交差するよう配設され、少なくとも一方の周面が凹状となる鼓状に形成された一対の矯正ロール(12,14)と、これら矯正ロール(12,14)の対向方向と交差する関係で被加工材料(W)の移送経路に沿って対向配置され、被加工材料(W)を案内する一対のガイドバーフェーシング(30,30)とからなり、両矯正ロール(12,14)の間に、移送経路に直交する面における各矯正ロール(12,14)の軸線を結んだ線と直交する方向に開放する隙間(S)を有する矯正機において、
前記一対のガイドバーフェーシング(30,30)は略矩形平板状に夫々形成されると共に、両矯正ロール(12,14)における被加工材料(W)の入口側領域および出口側領域に夫々配設され、
前記夫々のガイドバーフェーシング(30)は、両矯正ロール(12,14)と干渉しないよう前記隙間(S)の開放方向に沿って前記被加工材料(W)の水平な移送面(PL)に対し傾斜配置され、
前記夫々のガイドバーフェーシング(30)は、ガイドバー(34)を介してねじ送り機構からなる進退移動機構(62)に連結されて、ガイドバーフェーシング(30)における被加工材料(W)の案内面(32)が、前記隙間(S)を介して前記移送経路に平行に臨んだ状態で、進退移動機構(62)により該ガイドバーフェーシング(30)が移送経路に対し隙間(S)の開放方向に沿って直線的に進退移動するよう構成され、
前記進退移動機構(62)は、ハンドル(64)の手動操作によりねじ送り機構のねじ軸(66)を正逆方向に回転することでガイドバーフェーシング(30)を進退移動させるよう構成してある
ことを特徴とする矯正機。
【請求項３】
前記進退移動機構(40)はガイドバー(34)の回り止め機構(54,56)を備え、進退移動機構(40)によりガイドバーフェーシング(30)を前記隙間(S)の開放方向に沿って進退移動する際に、該ガイドバーフェーシング(30)が移送経路に対して回動変位するのを防止してある請求項１記載の矯正機。
【請求項４】
前記被加工材料(W)の捻転による移動方向にあたる一方のガイドバーフェーシング(30)の案内面(32)は、対となる他方のガイドバーフェーシング(30)の案内面(32)より移送経路に沿う方向へ幅広に形成され、当該案内面(32)が幅広に形成されたガイドバーフェーシング(30)には、独立して作動される複数の前記進退移動機構(62,62)が移送方向に離間して連結されている請求項２記載の矯正機。
【請求項５】
前記夫々のガイドバーフェーシング(30)の前記移送面(PL)に対する配置角度(θ)は、＋１０〜＋２０°または−１０〜−２０°の範囲に設定される請求項１〜４の何れか一項に記載の矯正機。
【請求項６】
前記ガイドバーフェーシング(30)は、前記ガイドバー(34)に着脱交換自在に配設される請求項１〜５の何れか一項に記載の矯正機。
【請求項７】
前記被加工材料(W)の捻転による移動方向にあたる一方のガイドバーフェーシング(30)の案内面(32)は、対となる他方のガイドバーフェーシング(30)の案内面(32)より移送経路に沿う方向へ幅広に形成される請求項１,２,３,５または６の何れか一項に記載の矯正機。
【請求項８】
矯正機本体に開閉自在に枢支された一対のホルダ(24,24)が、前記被加工材料(W)の移送経路を挟んで対向的に配設され、各ホルダ(24)に、前記両矯正ロール(12,14)における被加工材料(W)の入口側領域に位置するガイドバーフェーシング(30)、ガイドバー(34)および進退移動機構(40,62)を備える材料案内手段(28,60)と、前記両矯正ロール(12,14)における被加工材料(W)の出口側領域に位置するガイドバーフェーシング(30)、ガイドバー(34)および進退移動機構(40,62)を備える材料案内手段(28,60)とが配設されている請求項１〜７の何れか一項に記載の矯正機。
【手続補正２】
【補正対象書類名】明細書
【補正対象項目名】０００９
【補正方法】変更
【補正の内容】
【０００９】
前記課題を克服し、所期の目的を達成するため、本発明に係る矯正機は、
被加工材料の移送経路を挟んで上下に対向すると共に、該移送経路に対し所定の角度で相互に交差するよう配設され、少なくとも一方の周面が凹状となる鼓状に形成された一対の矯正ロールと、これら矯正ロールの対向方向と交差する関係で被加工材料の移送経路に沿って対向配置され、被加工材料を案内する一対のガイドバーフェーシングとからなり、両矯正ロールの間に、移送経路に直交する面における各矯正ロールの軸線を結んだ線と直交する方向に開放する隙間を有する矯正機において、
前記一対のガイドバーフェーシングは略矩形平板状に夫々形成されると共に、両矯正ロールにおける被加工材料の入口側領域および出口側領域に夫々配設され、
前記夫々のガイドバーフェーシングは、両矯正ロールと干渉しないよう前記隙間の開放方向に沿って前記被加工材料の水平な移送面に対し傾斜配置され、
前記夫々のガイドバーフェーシングは、ガイドバーを介して進退移動機構に連結されて、ガイドバーフェーシングにおける被加工材料の案内面が、前記隙間を介して前記移送経路に平行に臨んだ状態で、進退移動機構の駆動手段を駆動することで該ガイドバーフェーシングが移送経路に対し隙間の開放方向に沿って直線的に進退移動するよう構成されると共に、
前記ガイドバーフェーシングにおける移送経路に臨む案内面の位置を検出する位置検出手段の検出に基づき、前記進退移動機構の駆動手段を駆動してガイドバーフェーシングを移動することで、案内面を被加工材料に対して適正な位置に臨ませ得るようになっていることを特徴とする。
更に、前記課題を克服し、所期の目的を達成するため、本発明に係る別の矯正機は、
被加工材料の移送経路を挟んで上下に対向すると共に、該移送経路に対し所定の角度で相互に交差するよう配設され、少なくとも一方の周面が凹状となる鼓状に形成された一対の矯正ロールと、これら矯正ロールの対向方向と交差する関係で被加工材料の移送経路に沿って対向配置され、被加工材料を案内する一対のガイドバーフェーシングとからなり、両矯正ロールの間に、移送経路に直交する面における各矯正ロールの軸線を結んだ線と直交する方向に開放する隙間を有する矯正機において、
前記一対のガイドバーフェーシングは略矩形平板状に夫々形成されると共に、両矯正ロールにおける被加工材料の入口側領域および出口側領域に夫々配設され、
前記夫々のガイドバーフェーシングは、両矯正ロールと干渉しないよう前記隙間の開放方向に沿って前記被加工材料の水平な移送面に対し傾斜配置され、
前記夫々のガイドバーフェーシングは、ガイドバーを介してねじ送り機構からなる進退移動機構に連結されて、ガイドバーフェーシングにおける被加工材料の案内面が、前記隙間を介して前記移送経路に平行に臨んだ状態で、進退移動機構により該ガイドバーフェーシングが移送経路に対し隙間の開放方向に沿って直線的に進退移動するよう構成され、
前記進退移動機構は、ハンドルの手動操作によりねじ送り機構のねじ軸を正逆方向に回転することでガイドバーフェーシングを進退移動させるよう構成してあることを特徴とする。